(57)【要約】      （修正有）【課題】遠くから見ても人目を惹き、鮮やかでカラフルで、立体感及び高級感に富み、輝きや煌めきを放つことができる貴石製家紋の表示具であって、取り付けや取り外しが容易であり、製作原価を低廉に抑えることができる貴石製家紋の表示具を提供する。【解決手段】フェルト生地をベース台紙とし、そのベース台紙の表面に多数の貴石を接着剤により配設止着し、その貴石の配設止着により家紋を描出する。ベース台紙に、衣服に取付けるための取付部材を備える。【選択図】図１
0003165187.tif 000002
【実用新案登録請求の範囲】
【請求項１】
フェルト生地をベース台紙とし、そのベース台紙の表面に多数の貴石を接着剤により配設止着し、その貴石の配設止着により家紋を描出したことを特徴とする貴石製家紋の表示具。
【請求項２】
フェルト生地のベース台紙に、ベース台紙を衣服などに取り付けるための取付部材を備えたことを特徴とする請求項１記載の貴石製家紋の表示具。
【請求項３】
貴石としてジルコニアを使用したことを特徴とする請求項１又は２記載の貴石製家紋の表示具。
【請求項４】
大きさ又は／及びカラーが異なる複数の貴石を混合して配設止着したことを特徴とする請求項１乃至３のいずれかに記載の貴石製家紋の表示具。
【考案の詳細な説明】
【技術分野】
【０００１】
本考案は、主としてジルコニア（二酸化ジルコニウム）のような人工宝石で構成される貴石をフェルト生地の表面に接着剤で配設止着し、その配設止着された貴石で家紋を描出した貴石製家紋の表示具に係り、さらに詳しくはフェルト生地をベース台紙とし、そのフェルト生地の表面に多数の貴石をちりばめることで各種の家紋を描出してなる貴石製家紋の表示具に関する。この貴石の種類として、ジルコニア以外に、ダイヤモンド、ルビー、サファイア、エメラルドのような天然宝石を使用することもできる。
【背景技術】
【０００２】
従来、ワイシャツ、ブラウス、上着、帽子などの、ファッション製品の所定位置に各種のワンポイントマークを描出することが行われている。
そのワンポイントマークは、当該ファッション製品のトレードマークであることが多いが、家紋をワンポイントマークとして描出したものは見当たらない。
【先行技術文献】
【特許文献】
【０００３】
【特許文献１】特開２００２−４１７６６号公報
【特許文献２】実用新案登録第３０７３９０６号公報
【考案の概要】
【考案が解決しようとする課題】
【０００４】
上記特許文献１のワンポイントマークは、マークを刺繍糸の刺繍で形成するものであったため、仮にそのような描出方法により家紋を表示したとしても、そこに表示された家紋は平面的で輝きや煌めきを発揮しないため見栄えに乏しいものとなる。
【０００５】
また特許文献２のネームプレートは、ネームプレートをシルク印刷で描出したり、エポキシ樹脂加工で形成したり、転写紙を転写して形成することが説明されている。仮にそのような描出方法により家紋を描出したとしても、そこに表示された家紋は平面的で輝きや煌めきを発揮しないため見栄えに乏しいものとなる。
【０００６】
本考案は、上記のすべての問題点を解消して、遠くから見ても人目を惹き、鮮やかでカラフルで、立体感及び高級感に富み、輝きや煌めきを放つことができる貴石製家紋の表示具を提供せんとするものである。
【課題を解決するための手段】
【０００７】
上記目的を達成するために、請求項１記載の考案は、フェルト生地をベース台紙とし、そのベース台紙の表面に多数の貴石を接着剤により配設止着し、その貴石の配設止着により家紋を描出したことを特徴とする貴石製家紋の表示具である。
【０００８】
請求項２記載の考案は、フェルト生地のベース台紙に、ベース台紙を衣服などに取り付けるための取付部材を備えたことを特徴とする請求項１記載の貴石製家紋の表示具である。
【０００９】
請求項３記載の考案は、貴石としてジルコニアを使用したことを特徴とする請求項１又は２記載の貴石製家紋の表示具である。
【００１０】
請求項４記載の考案は、大きさ又は／及びカラーが異なる複数の貴石を混合して配設止着したことを特徴とする請求項１乃至３のいずれかに記載の貴石製家紋の表示具である。
【考案の効果】
【００１１】
以上述べたように、請求項１の貴石製家紋の表示具によれば、使用者の好みの箇所（衣服や帽子など）にベース台紙のフェルト生地を取り付けることで、簡単に家紋を描出した貴石製家紋の表示具を好みの箇所へ取り付けることができ、その家紋のデザインは鮮やかでカラフルで、立体感及び高級感に富み、輝きや煌めきを放つ為、見る人の注意を惹き易い効果がある。
【００１２】
また請求項２の貴石製家紋の表示具によれば、取付部材の存在により、ワイシャツやブラウスなどの衣服や帽子などの好みの位置に簡単に取り付けたり、取り外したりすることができ、使用性が向上するという効果がある。
【００１３】
また請求項３の貴石製家紋の表示具によれば、貴石としてジルコニアを使用することにより、天然の宝石と同等の輝きや煌めき（ジルコニアは、透明でダイヤモンドに近い高い屈折率を有するため）を確保でき、かつ製品の値段を低減させることができるという効果がある。
【００１４】
また請求項４の貴石製家紋の表示具によれば、大きさ又は／及びカラーが異なる複数の貴石を混合して配設止着したことで、描出された家紋が一層際立つようになり、見る人の注意をさらに惹き易くなるという効果がある。
【図面の簡単な説明】
【００１５】
【図１】（ａ）、（ｂ）、（ｃ）の各図は、ベース台紙の形状を異ならせた本考案の貴石製家紋の表示具の正面図である。
【図２】（ａ）、（ｂ）の各図は、前図の（ａ）、（ｂ）の各図に対応しており、それぞれ対応図の背面図を示している。
【考案を実施するための形態】
【００１６】
以下添付図面に基づいて、本考案に係る貴石製家紋の表示具の実施の形態を説明するが、これらは例示的に示されるもので、本考案の技術思想から逸脱しない限り種々の変形が可能なことはいうまでもない。
図１の（ａ）、（ｂ）、（ｃ）の各図に示された貴石製家紋の表示具１は、それぞれ好みの形状のベース台紙２に、貴石３を接着剤により配設止着することで形成される。
【００１７】
まずベース台紙２は適宜の布素材で形成されるが、取り扱いのしやすさとか、手触りの感触などの観点から、フェルト生地がより好ましい。
このベース台紙２の表面に接着剤で図柄デザインを描き、その接着剤の塗布部に貴石３を順序良く並べて配設止着することで、ベース台紙２の表面に家紋４が描出される。
【００１８】
なお接着剤としては、例えば株式会社コニシ社製のラインストーン用接着剤「デコプリンセス」という名称のボンドが好適であり、それを使用した場合にはファッション製品に本考案の貴石製家紋の表示具１を取り付けたまま洗濯機で洗濯を行っても、貴石３がベース台紙２より脱落することが無いほどの強力な接着効果が得られた。
【００１９】
またベース台紙２の裏面側には、取付部材５が備えられ、図２の（ａ）に例示したものは止めピン６形式の取付部材であり、同（ｂ）に例示したものは離型紙７で接着面８を保護した形式の取付部材である。したがって、止めピン６のピン先をファッション製品の生地に挿通して取り付けたり、離型紙７を剥離させてベース台紙２の背面の接着面８を露出させ、その接着面をファッション製品に直接接着させて取り付けたりすることができる。
【００２０】
さらにベース台紙２に配設止着される貴石３は、全て同じ大きさやカラーのもので揃えてもかまわないが、全体のアクセントを高めるために、重要な位置にはキーとなるべき貴石３を配することが好ましく、そのような貴石３は回りに配した貴石３と異なる大きさやカラーのもの（目立つもの）を使用すると、演出効果は一層向上することとなる。
【産業上の利用可能性】
【００２１】
本考案に係る貴石製家紋の表示具は、手軽に衣服や帽子などのファッション製品に取り付けて使用されるので、老若男女誰にでも利用することができ、ファッション製品を製造販売する現場で大いに利用できる。
【符号の説明】
【００２２】
１…貴石製家紋の表示具
２…ベース台紙
３…貴石
４…家紋
５…取付部材
６…止めピン
７…離型紙
８…接着面
【図１】
0003165187.tif 000003
【図２】
0003165187.tif 000004